(57)【要約】【課題】各々のセットによって枚用紙の枚数が異なり、しかも多種多様な紙質、厚さの枚葉紙が使用されるような条件下において適用できるブロック剥がし方法と装置を提供する。【解決手段】連続紙の所定位置に吸引用孔加工を行う過程と、連続紙をシートカットして得られる枚葉紙の１セットごとに合紙を挿入する過程と、合紙を挿入した枚葉紙の複数のセットを積み重ねるとともに、製本加工して本の背と成る部分において接着加工を行ないブロックを形成する過程と、ブロックの吸引用孔を通して合紙を吸引することによって枚葉紙の１セットと他のセットとの隙間を形成し、その隙間にナイフを進入させ背の接着個所を切り離すことによって枚葉紙の１セットを単体とする過程とから成るブロック剥がし方法、およびその方法で使用されるブロック剥がし装置。【選択図】　図１
2004034630.tif 000002
【特許請求の範囲】
【請求項１】
連続紙の所定位置に吸引用孔加工を行う吸引用孔加工過程と、前記連続紙をシートカットして得られる枚葉紙の１セットごとに合紙を挿入する合紙挿入過程と、
前記合紙を挿入した枚葉紙の複数のセットを積み重ねるとともに、製本加工して本の背と成る部分において接着加工を行ないブロックを形成するブロック形成過程と、
前記ブロックの前記吸引用孔を通して前記合紙を吸引することによって前記枚葉紙の１セットと他のセットとの隙間を形成し、その隙間にナイフを進入させ前記背の接着個所を切り離すことによって前記枚葉紙の１セットを単体とするセット剥がし過程と、
から成ることを特徴とするブロック剥がし方法。
【請求項２】
請求項１記載のブロック剥がし方法において、前記所定位置は前記連続紙を製本加工して本の背となる部分から離れた小口または天または地に近い位置であり、かつ前記製本加工において除去され前記本には残らない前記連続用紙の余白部分に含まれる位置であることを特徴とするブロック剥がし方法。
【請求項３】
請求項１または２記載のブロック剥がし方法において、前記セット剥がし過程で単体となった前記枚葉紙の複数のセットを積み重ねて個々の本の寸法となるように断裁する断裁過程を有することを特徴とするブロック剥がし方法。
【請求項４】
昇降ステージと、ステージ昇降制御手段と、真空吸着手段と、ナイフ移動手段と、ナイフ移動制御手段とを具備するブロック剥がし装置であって、
前記昇降ステージは、枚葉紙の複数のセットを揃えて積み重ねて成り製本加工して本の背となる部分が接着加工されたブロックをそのステージに載置するとともに昇降する機構を有し、
前記昇降ステージ制御手段は、前記昇降を制御して前記ブロックの上面位置が所定位置となるように制御し、
前記真空吸着手段は、そのサッカー（吸い口）を使用して前記ブロックの最上面の枚葉紙のセットを吸着するとともに前記サッカーを上昇させて前記枚葉紙の１セットと他のセットとの隙間を形成し、
前記ナイフ移動手段は、前記の隙間にナイフを進入させ前記背の接着個所を切り離す、
ことを特徴とするブロック剥がし装置。
【請求項５】
請求項４記載のブロック剥がし装置において、前記ブロックは、連続紙の所定位置に吸引用孔加工を行い連続紙をシートカットして得られる枚葉紙の１セットごとに合紙を挿入した枚葉紙の複数のセットを積み重ねたブロックであることを特徴とするブロック剥がし装置。
【請求項６】
請求項４または５記載のブロック剥がし装置において、前記ブロックを前記昇降ステージに供給するブロック供給手段を具備することを特徴とするブロック剥がし装置。
【請求項７】
請求項４〜６のいずれかに記載のブロック剥がし装置において、前記上昇させた枚葉紙の１セットを前記昇降ステージから排出する枚葉紙セット排出手段と、前記排出した枚葉紙の１セットを集積する集積手段とを具備することを特徴とするブロック剥がし装置。
【発明の詳細な説明】
【０００１】
【発明の属する技術分野】
本発明は、冊子を作成する製本の技術分野に属する。特に、手貼りで製本をするとき行なわれるブロック剥がしの技術分野に属する。
【０００２】
【従来技術】
手貼りで製本をするときの工程について簡単に説明する。枚葉紙の複数のセットを棒積みしてブロックを形成する。そのブロックにおける糊付面を断裁して揃える。その糊付面にはけ（刷毛）等を用いて糊を手塗りし乾燥させる。ブロックの枚葉紙に印刷されている色玉等の目印を頼りにブロックの最上部のセットとその下のセットとの境界を手捲りで探す。その境界にナイフを進入させて糊付面を切断しブロックから最上部のセットを切り離す。
【０００３】
【発明が解決しようとする課題】
上述の作業は大変に作業負荷が大きい。また、人手による作業のため剥がし個所の間違いが発生する恐れがある。セット剥がしの負荷を軽減するため、メジーム印刷等により糊の浸透を防ぐ分離帯を形成することがある。しかし、使用することができる糊の種類が限定され枚葉紙間の接着が弱いものとなる。そのため、断裁機において枚葉紙のセットを切断して個別の冊子にするときに接着個所が割れて不良品が生じる。
【０００４】
また、上述の工程におけるセット剥がし工程を機械化する提案がある。たとえば、１セット分の枚葉紙の枚数を員数しながらナイフで分離するブロック剥がし機が知られている。しかし、各々のセットによって枚用紙の枚数が異なり、しかも多種多様な紙質、厚さの枚葉紙が使用されるような条件下において適用できるものではない。
【０００５】
本発明はこのような課題を解決するためになされたものであり、その目的は、使用することができる糊の種類が限定されず、作業負荷が小さく、剥がし個所の間違いが発生せず、各々のセットによって枚用紙の枚数が異なり、しかも多種多様な紙質、厚さの枚葉紙が使用されるような条件下において適用できるブロック剥がし方法と装置を提供することにある。
【０００６】
【課題を解決するための手段】
上記課題は下記の本発明によって解決される。すなわち、
本発明の請求項１に係るブロック剥がし方法は、連続紙の所定位置に吸引用孔加工を行う吸引用孔加工過程と、前記連続紙をシートカットして得られる枚葉紙の１セットごとに合紙を挿入する合紙挿入過程と、前記合紙を挿入した枚葉紙の複数のセットを積み重ねるとともに、製本加工して本の背と成る部分において接着加工を行ないブロックを形成するブロック形成過程と、前記ブロックの前記吸引用孔を通して前記合紙を吸引することによって前記枚葉紙の１セットと他のセットとの隙間を形成し、その隙間にナイフを進入させ前記背の接着個所を切り離すことによって前記枚葉紙の１セットを単体とするセット剥がし過程とから成るようにしたものである。
【０００７】
本発明によれば、接着力の強い糊であってもナイフによって切り離されるから使用することができる糊の種類が限定されず、機械化できるから作業負荷が小さく、合紙を挿入した剥がし個所に隙間ができるから剥がし個所にの間違いが発生せず、合紙の挿入が各セットの境界を示し員数する必要がないから、各々のセットによって枚用紙の枚数が異なり、しかも多種多様な紙質、厚さの枚葉紙が使用されるような条件下において適用できるブロック剥がし方法が提供される。
【０００８】
また本発明の請求項２に係るブロック剥がし方法は、請求項１記載のブロック剥がし方法において、前記所定位置は前記連続紙を製本加工して本の背となる部分から離れた小口または天または地に近い位置であり、かつ前記製本加工において除去され前記本には残らない前記連続用紙の余白部分に含まれる位置であるようにしたものである。本発明によれば、ナイフの挿入が容易となり連続紙の所定位置に存在する吸引用孔は最終製品の本には残らない。
【０００９】
また本発明の請求項３に係るブロック剥がし方法は、請求項１または２記載のブロック剥がし方法において、前記セット剥がし過程で単体となった前記枚葉紙の複数のセットを積み重ねて個々の本の寸法となるように断裁する断裁過程を有するようにしたものである。本発明によれば、余白部分等が除去され適正な寸法を有する個々の本が形成される。
【００１０】
また本発明の請求項４に係るブロック剥がし装置は、昇降ステージと、ステージ昇降制御手段と、真空吸着手段と、ナイフ移動手段と、ナイフ移動制御手段とを具備するブロック剥がし装置であって、前記昇降ステージは、枚葉紙の複数のセットを揃えて積み重ねて成り製本加工して本の背となる部分が接着加工されたブロックをそのステージに載置するとともに昇降する機構を有し、前記昇降ステージ制御手段は、前記昇降を制御して前記ブロックの上面位置が所定位置となるように制御し、前記真空吸着手段は、そのサッカー（吸い口）を使用して前記ブロックの最上面の枚葉紙のセットを吸着するとともに前記サッカーを上昇させて前記枚葉紙の１セットと他のセットとの隙間を形成し、前記ナイフ移動手段は、前記の隙間にナイフを進入させ前記背の接着個所を切り離すようにしたものである。
【００１１】
本発明によれば、接着力の強い糊であってもナイフによって切り離されるから使用することができる糊の種類が限定されず、機械化されているから作業負荷が小さく、吸着により剥がし個所に隙間ができるから剥がし個所の間違いが発生せず、その隙間が各セットの境界を示し員数する必要がないから、各々のセットによって枚用紙の枚数が異なり、しかも多種多様な紙質、厚さの枚葉紙が使用されるような条件下において適用できるブロック剥がし装置が提供される。
【００１２】
また本発明の請求項５に係るブロック剥がし装置は、請求項４に係るブロック剥がし装置において、前記ブロックは、連続紙の所定位置に吸引用孔加工を行い連続紙をシートカットして得られる枚葉紙の１セットごとに合紙を挿入した枚葉紙の複数のセットを積み重ねたブロックであるようにしたものである。本発明によれば、真空吸着手段がブロックの吸引用孔を通して合紙を吸引することによって枚葉紙の１セットと他のセットとの隙間が形成される。
【００１３】
また本発明の請求項６に係るブロック剥がし装置は、請求項４または５に係るブロック剥がし装置において、前記ブロックを前記昇降ステージに供給するブロック供給手段を具備するようにしたものである。本発明によれば、ブロックの昇降ステージへの供給が自動化される。
【００１４】
また本発明の請求項７に係るブロック剥がし装置は、請求項４〜６のいずれかに係るブロック剥がし装置において、前記上昇させた枚葉紙の１セットを前記昇降ステージから排出する枚葉紙セット排出手段と、前記排出した枚葉紙の１セットを集積する集積手段とを具備するようにしたものである。本発明によれば、昇降ステージから枚葉紙の１セットを排出することと、それを集積することとが自動化される。
【００１５】
【発明の実施の形態】
次に、本発明について実施の形態を説明する。まず、連続帳票から冊子本を作製する過程に本発明におけるブロック剥がし方法を適用した一例について図１と図２を参照して説明する。図１は本発明のブロック剥がし方法を適用した冊子本作製過程を示すフロー図である。図２はその冊子本作製過程を示す絵図である。
【００１６】
まず、図１のステップＳ１（連続帳票加工）において、連続用紙に吸引用孔を形成する加工を行う。また、必要に応じて、送り孔、ミシン目、等の一般的な加工を行う。また、必要に応じこの工程において、固定情報の印刷が行われる。固定情報はすべての冊子本において共通する情報である。最終製品の冊子本に残る印刷情報だけでなく、たとえば、後工程のシートカット、可変情報の印刷における位置合せのための見当マーク、工程管理情報、等も固定情報である。
【００１７】
吸引用孔は、連続帳票をシートカットして枚葉紙とし重ね合せたときにすべて枚葉紙の所定位置に形成され連続孔となるように加工が行われる。特に、その所定位置が連続帳票を製本加工して本の背となる部分から離れた小口または天または地に近い位置であり、かつ製本加工において除去され本には残らない連続帳票の余白部分に含まれる位置であるようにすると好適である。
【００１８】
次に、ステップＳ２（連続帳票プリント）において、連続帳票に可変情報をプリンターで印刷する。連続帳票に印刷されている見当マークを検出する、等によって所定の印刷位置に印刷が行なわれる。可変情報は各々の冊子本に固有な情報である。たとえば、住所、氏名、利用料金明細、等は可変情報である。
【００１９】
次に、ステップＳ３（シートカット）において、シートカッターにより連続帳票をシートカットし枚葉紙とする。連続帳票に印刷されている固定情報としての見当マークを検出する、等によって所定の位置においてシートカットが行なわれる。
【００２０】
次に、ステップＳ４（合紙挿入）において、冊子本の単位である１セットの枚葉紙における最後の１枚をシートカットすると、シートフィーダから合紙が供給される。最後の１枚であることは、連続帳票に印刷されている可変情報としての印刷マークを検出することにより行なわれる。その合紙が加えられ新たな枚葉紙の１セットが形成される（図２（Ａ）参照）。シートカットされた枚葉紙と合紙はスタッカーにおいて積み重ねられる。
【００２１】
次に、ステップＳ５（ブロック作製完了）において、シートカットされた枚葉紙と合紙が積み重ねられ、所定量のブロックが作製されたか否かが判定される。ここで所定量とは、投入される一品目または一巻の連続帳票の終わり、またはブロックの所定高さに対応する。所定量のブロックが作製されていないときには、ステップＳ３に戻って、上述した以降のステップを繰り返す。所定量のブロックが作製されたときには、そのブロックをスタッカーから移動し、ステップＳ６に進む。
【００２２】
次に、ステップＳ６（断裁／背固め）において、そのブロックにおける糊付面を断裁して揃える。さらに、その糊付面にはけ（刷毛）等を用いて糊を手塗りし乾燥させる。図２（Ｂ）にはブロックの上面図が示されている。図２（Ｂ）に示す一例ではブロックは２つに断裁された後に、各々のブロックに対して背固めが行なわれる。
【００２３】
次に、ステップＳ７（セット剥がし）において、ブロック剥がし装置を適用してセット剥がしを行う（詳細を後述する）。ブロック剥がし装置はブロックの吸引用孔を通して合紙を吸引することによって枚葉紙の１セットと他のセットとの隙間を形成し、その隙間にナイフを進入させ背の接着個所を切り離す。図２（Ｃ）にはブロックの側面図が示されている。図２（Ｃ）に示すように、枚葉紙の１セットを単位として背の接着個所が切り離される。
【００２４】
次に、ステップＳ８（ブロック作製）において、ブロック剥がし装置は切り離された複数の枚葉紙の１セットを積み重ねて再びブロックを形成する。
次に、ステップＳ９（断裁）において、そのブロックにおける吸引用孔が形成されている部分、等の余白部分を断裁によって除去する。また、ブロックを形成する枚葉紙の１セットが複数の冊子本を面付けしたものであれば、冊子本の寸法でブロックの断裁を行なって個々の冊子本に分離する。図２（Ｄ）にはブロックの上面図が示されている。図２（Ｄ）に示す一例では、ブロックは３個所で断裁が行なわれ、吸引用孔が形成されている部分ブロック、冊子本に分離した３つの部分ブロックが形成される。
【００２５】
次に、上述のセット剥がし過程で使用するためのブロック剥がし装置について説明する。本発明のブロック剥がし装置における構成の一例を図３に示す。図３において、１０は操作部、２０は供給部、３０は昇降部、４０は吸引部、５０は切断部、６０はスタッカー部である。また、１００ａ，１００ｂ，１００ｃ，１００ｄは本発明のブロック剥がし装置における加工対象のブロックである。
【００２６】
ブロック１００ａ，１００ｂ，１００ｃ，１００ｄは、製本加工して本の背となる部分が接着加工されたブロックである。たとえば、次の▲１▼〜▲４▼の過程を経て形成されるブロックである。▲１▼連続紙の所定位置に吸引用孔加工を行う。▲２▼その連続紙をシートカットして得られる枚葉紙の１セットごとに合紙を挿入する。▲３▼その合紙を挿入した枚葉紙の複数のセットを積み重ねる。▲４▼製本加工して本の背と成る部分において接着加工を行なう。
【００２７】
操作部１０は、オペレータがブロック剥がし装置を操作するために指示入力等を行う部分である。操作部１０には、ブロック剥がし装置の動作状態を示す表示、指示入力を行うボタン／スイッチ類が配置されている。
【００２８】
供給部２０は、ブロック１００ａ，１００ｂ，１００ｃを昇降部３０に供給する部分である。供給部２０は、図３に示す一例においては、間欠搬送を行うコンベヤを有する。そのコンベヤベルトは複数のブロック１００ａ，１００ｂ，１００ｃを載せて搬送することができる。オペレータはコンベヤベルトの空いている部位に新たなブロックを載せておくだけで自動的に供給が行われる。コンベヤベルトには爪部材が設けて有り、その爪部材にブロック１００ａ，１００ｂ，１００ｃを当接させることにより所定間隔で搬送が行なわれる。また、その爪部材により搬送と供給における同期と位置合せが可能となる。
【００２９】
昇降部３０は、ブロック１００ｄの上面の位置が吸引部４０による吸引や切断部５０による切断が適正に行なわれる位置と一致するようにブロック１００ｄを昇降する部分である。昇降部３０は、昇降ステージとその制御手段（昇降ステージ制御手段）とを有する。昇降ステージは、ブロック１００ｄをそのステージに載置するとともに昇降する機構を有する。昇降ステージ制御手段は、その昇降を制御してブロック１００ｄの上面位置が所定位置となるように制御する。
【００３０】
吸引部４０は、そのサッカー（吸い口）を使用してブロック１００ｄの最上面の枚葉紙のセットを吸着する。このとき、サッカーはブロック１００ｄの最上面の吸引用孔を通して合紙を吸引することによって枚葉紙の１セットの全体を吸引する。さらに、そのサッカーを上昇させて枚葉紙の１セットと他のセットとの隙間を形成する。
【００３１】
切断部５０は、ナイフと、そのナイフをブロック１００ｄの切断を行うために移動するナイフ移動手段とを有する。ナイフを装着したナイフ移動手段は、吸引部４０によって形成された隙間にナイフを進入させ、背の接着個所において枚葉紙の１セットと他のセットとを切り離す。
【００３２】
スタッカー部６０は、枚葉紙セット排出手段と集積手段とを有する。枚葉紙セット排出手段は、上昇させた枚葉紙の１セットを昇降ステージから排出する。枚葉紙セット排出手段は、たとえば、吸引機構、把持機構によって枚葉紙の１セットを保持して所定の位置に導出する。集積手段は、排出された枚葉紙の１セットをその集積ステージに集積する。集積ステージは、排出された枚葉紙の１セットの集積体の上面が所定の位置となるように、前述の昇降ステージと同様の昇降動作を行う。
【００３３】
上述の構成において、次に、本発明のブロック剥がし装置における動作について図４を参照して説明する。図４はブロック剥がし装置によるセット剥がし過程を示すフロー図である。
まず、図４のステップＳ１０１（ブロック供給）において、供給部２０から昇降部３０にブロック１００ｄが供給される。この供給の直前においては、昇降部３０の昇降ステージからは枚葉紙のすべてのセットが排出されており何も載置していない状態となっている。また、昇降ステージは下降してコンベヤベルトの搬送面と一致する位置となっている。その状態においてコンベヤベルトが間欠的な搬送を開始する。コンベヤベルトに載せられたブロック１００ｄは昇降ステージに滑り込み、コンベヤベルトから昇降ステージに移動する。コンベヤベルトが間欠的な搬送を停止したところで供給が完了する。
【００３４】
次に、ステップＳ１０２（昇降位置調整）において、昇降部３０はその昇降ステージに載置したブロック１００ｄの上面位置が所定位置となるように昇降動作を行う。ブロック１００ｄの上面位置は近接センサ、ポジションセンサ等のセンサ（図示せず）によって検出が行なわれる。センサは昇降ステージが上昇することによって所定位置に接近するとブロック１００ｄの上面位置を検出し検出信号を出力する。
【００３５】
昇降ステージはリニアガイド、モータ、等によって構成された直線移動機構によって昇降が行なわれる。その直線移動機構の駆動制御装置は、検出信号を入力すると減速しながら所定の直線移動を行って停止する制御を行う。直線移動機構が停止したときに、ブロック１００ｄの上面位置は所定位置に到達している。この所定位置は、吸引部４０による吸引や切断部５０による切断が適正に行なわれ、セット剥がしを適正に行うことができる位置である。
【００３６】
次に、ステップＳ１０３（サッカー下降）において、吸引部４０のサッカー（吸い口）が下降してブロック１００ｄの上面位置において停止する。この動作も昇降ステージと類似する周知の機構により行なわれるが、ブロック１００ｄの上面位置は確定しているから通常は開ループ制御による動作となる。
【００３７】
次に、ステップＳ１０４（吸引／上昇）において、吸引部４０のサッカーはブロック１００ｄの上面位置において吸引を行う。ブロックは、すでに説明したように枚葉紙の１セットごとに合紙を挿入したものを積み重ねたものである。その枚葉紙の１セットにはその枚葉紙を貫通する吸引用孔が存在し、その吸引用孔は合紙の表面で塞がれている。図５（Ａ）はブロックの上面図であり吸引用孔が示されている。また、図５（Ｂ）はブロックの断面図であり合紙によって塞がれ吸引用孔が示されている。
【００３８】
したがって、吸引部４０のサッカーはブロックの前記吸引用孔を通して前記合紙を吸引する。すなわち、上面位置に存在する枚葉紙の１セットを吸着する。吸着すると、サッカーはその状態で所定距離だけ上昇し枚葉紙の１セットと他のセットとの隙間を形成する。図６はサッカー４１によって上面位置に存在する枚葉紙の１セットが吸着され、他のセットとの隙間を形成した状態を示す絵図である。
【００３９】
次に、ステップＳ１０５（ナイフ進入）において、切断部５０のナイフ移動手段はその隙間にナイフを進入させる。図７（Ａ）は接着個所を切り離すときのナイフの動作の一例を示す上面図であり、図７（Ｂ）はナイフの高さ方向の位置を示す側面図である。図７に示すように、ナイフ５１はサッカーによって形成された隙間に進入する。
【００４０】
次に、ステップＳ１０６（切断）において、切断部５０のナイフ移動手段はナイフ５１を移動させ背の接着個所１０４を切り離すことによって枚葉紙の１セットを単体とする。ナイフ５１は隙間に進入した後に接着個所１０４の一方の端部に向かって進む。そして、その端部にナイフ５１の刃が入り込んだ後に接着個所１０４とほぼ平行する方向に進む。ナイフ５１が接着個所１０４の他方の端部に達すると接着個所１０４の切り離しが完了する。
【００４１】
次に、ステップＳ１０７（吸引停止）において、吸引部４０のサッカーは吸引を停止する。サッカーは上昇しているから、この停止によりブロック１００ｄから切り離された枚葉紙の１セットはブロック１００ｄの上面位置に再び重ねられる。
【００４２】
次に、ステップＳ１０８（排出／集積）において、スタッカー部６０の枚葉紙セット排出手段は切り離された枚葉紙の１セットをブロック１００ｄの上面位置から集積手段の集積ステージに把持して移動（排出）する。枚葉紙の１セットの把持は、前述のステップＳ１０７における吸引停止の直前であってもよい。すなわち、枚葉紙の１セットと他のセットとの隙間を利用して把持するようにしてもよい。スタッカー部６０の集積手段は、排出された枚葉紙の１セットをその集積ステージに集積する。集積ステージは、すでに説明したように、排出された枚葉紙の１セットの集積体の上面が所定の位置となるように昇降動作を行う。
【００４３】
次に、ステップＳ１０９（１ブロック終了？）において、ブロック１００ｄにおけるすべての枚葉紙の１セットが切り離されたか否かが判定される。すべてが切り離されていないときにはステップＳ１０２に戻って上述の以降のステップを繰り返す。すべてが切り離されたときにはステップＳ１１０に進む。
【００４４】
次に、ステップＳ１１０（全ブロック終了？）において、供給部２０に載置されたブロックが存在するか否かが判定される。ブロックが存在するとき、たとえば、図３においては、次にセット剥がしを行うブロック１００ｃが存在するときにはステップＳ１０１に戻って上述の以降のステップを繰り返す。供給部２０にブロックが存在しないときにはセット剥がしを終了とする。
【００４５】
【発明の効果】
以上のとおりであるから、本発明の請求項１に係るブロック剥がし方法によれば、使用することができる糊の種類が限定されず、作業負荷が小さく、剥がし個所にの間違いが発生せず、各々のセットによって枚用紙の枚数が異なり、しかも多種多様な紙質、厚さの枚葉紙が使用されるような条件下において適用できるブロック剥がし方法が提供される。
また本発明の請求項２に係るブロック剥がし方法によれば、ナイフの挿入が容易であり連続紙の所定位置に存在する吸引用孔は最終製品の本には残らない。
また本発明の請求項３に係るブロック剥がし方法によれば、余白部分等が除去され適正な寸法を有する個々の本を形成することができる。
また本発明の請求項４に係るブロック剥がし装置によれば、糊の種類が限定されず、作業負荷が小さく、剥がし個所の間違いが発生せず、各々のセットによって枚用紙の枚数が異なり、しかも多種多様な紙質、厚さの枚葉紙が使用されるような条件下において適用できるブロック剥がし装置が提供される。
また本発明の請求項５に係るブロック剥がし装置によれば、真空吸着手段がブロックの吸引用孔を通して合紙を吸引することによって枚葉紙の１セットと他のセットとの隙間が形成される。
また本発明の請求項６に係るブロック剥がし装置によれば、ブロックの昇降ステージへの供給が自動化される。
また本発明の請求項７に係るブロック剥がし装置によれば、昇降ステージから枚葉紙の１セットを排出することと、それを集積することとが自動化される。
【図面の簡単な説明】
【図１】本発明のブロック剥がし方法を適用した冊子本作製過程を示すフロー図である。
【図２】本発明のブロック剥がし方法を適用した冊子本作製過程を示す絵図である。
【図３】本発明のブロック剥がし装置における構成の一例を示す図である。
【図４】ブロック剥がし装置によるセット剥がし過程を示すフロー図である。
【図５】本発明のブロック剥がし装置における動作を示すフロー図である。
【図６】サッカーによってブロックの上面位置に存在する枚葉紙の１セットが吸着され、他のセットとの隙間を形成した状態を示す絵図である。
【図７】ブロックにおける接着個所を切り離すときのナイフの動作の一例を示す図である。
【符号の説明】
１０　操作部
２０　供給部
３０　昇降部
４０　吸引部
５０　切断部
６０　スタッカー部
１００ａ，１００ｂ，１００ｃ，１００ｄ　ブロック
１０１ａ，１０１ｂ，１０１ｃ，・・・　セット（枚用紙の１セット）
１０２，１０２ａ，１０２ｂ　吸引用孔
１０３ａ，１０３ｂ，１０３ｃ，１０３ｄ　合紙
１０４，１０４ａ，１０４ｂ　接着個所
【図１】
2004034630.tif 000003
【図２】
2004034630.tif 000004
【図３】
2004034630.tif 000005
【図４】
2004034630.tif 000006
【図５】
2004034630.tif 000007
【図６】
2004034630.tif 000008
【図７】
2004034630.tif 000009